(57)【要約】【課題】簡単な構成とハンドルの棒状軸部分を利用するというような合理的構成によって、ハンドルの摘み部分を摘まんで、該ハンドルの棒状軸部分の先端部を鍵穴に大雑把な角度で挿入しても、シリンダー錠用鍵（鍵本体）をシリンダー錠（錠本体）に容易に差し込むことができること。【解決手段】鍵本体のブレードを錠本体の内筒の鍵穴に差し込んだ時、ブレードに形成されたキーコードと内筒の回転軸と直交す軸直角断面上に位置するダンブラーが一致するシリンダー錠に於いて、鍵本体は摘み部分と該摘み部分から棒状に突出する軸部分と、該軸部分に回転自在に外嵌合する筒状の前記ブレードとから構成され、ブレードの外周形状は前記鍵穴の内周面の形状に対応して円形状又は３回転対称以上の多角形状のいずれかに形成され、鍵本体を錠本体の鍵穴に完全に差込んだ時、内筒と鍵本体のそれぞれに設けた係合手段を介して、鍵本体の回転力が内筒に伝わるシリンダー錠。【選択図】図４
2016121495.tif 000002
【特許請求の範囲】
【請求項１】
錠本体と鍵本体との係合から成り、鍵本体のブレードを錠本体の内筒の鍵穴に差し込んだ時、前記ブレードに形成されたキーコードと前記内筒の回転軸と直交す軸直角断面上に位置するダンブラーが一致するシリンダー錠に於いて、
前記鍵本体は、摘み部分と、該摘み部分から棒状に突出する軸部分と、該軸部分に回転自在に外嵌合する筒状の前記ブレードとから構成され、前記ブレードの外周形状は前記鍵穴の内周面の形状に対応して円形状又は３回転対称以上の多角形状のいずれかに形成され、前記鍵本体を前記錠本体の鍵穴に完全に差込んだ時、前記内筒と鍵本体のそれぞれに設けた係合手段を介して、前記鍵本体の回転力が前記内筒に伝わるシリンダー錠。
【請求項２】
請求項１に於いて、係合手段は、ブレードの先端面から突出する軸部分の係合先端部に設けられた第１係合手段としての係合凹所又は付勢手段に付勢された係止ピンのいずれかであり、一方、前記第１係合手段に係脱する第２係合手段は、内筒の後端部の付勢手段に付勢された係止ピン又は内筒の後端部の内面に形成された係合凹所のいずれかであることを特徴とするシリンダー錠。
【請求項３】
請求項１に於いて、係合手段は、鍵本体Ｙの摘み部分の先端部に設けられた第１係合手段としての係合凹所又は付勢手段に付勢された係止ピンのいずれかであり、一方、前記第１係合手段に係脱する第２係合手段は内筒の先端部の付勢手段に付勢された係止ピン又は内筒の先端部の内面に形成された係合凹所のいずれかであることを特徴とするシリンダー錠。
【請求項４】
請求項１に於いて、係合手段は、ブレードの先端面から突出する軸部分の係合先端部に設けられた第１磁性体と、この第１磁性体の極性に対応して吸着する内筒の第２磁性体であることを特徴とするシリンダー錠。
【請求項５】
請求項４に於いて、係合手段の第１磁性体又は第２磁性体のいずれか一方は、吸着性を有する金属であることを特徴とするシリンダー錠。
【請求項６】
請求項１に於いて、係合手段は、内筒の前部及び摘み部分の先端部に、それぞれ周方向に設けられたセレーション又は滑り止め防止部材のいずれかであることを特徴とするシリンダー錠。
【請求項７】
請求項１に於いて、係合手段は、摘み部分の先端部又はブレードの先端面から突出する軸部分の係合先端部の外周面のいずれかに形成された第１係合面であり、一方、前記第１係合面に対応する第２係合面は内筒の先端部又は後端部の内周面のいずれかに形成されていることを特徴とするシリンダー錠。
【請求項８】
請求項１に於いて、鍵穴の先端挿入口の縁部分には、ブレードを内筒の回転軸と一致するように鍵穴の中心へと誘導する外拡案内面が形成されていることを特徴とするシリンダー錠。
【請求項９】
錠本体と鍵本体との係合から成り、鍵本体のブレードを錠本体の内筒の鍵穴に差し込んだ時、前記ブレードに形成されたキーコードと前記内筒の回転軸と直交す軸直角断面上に位置するダンブラーが一致するシリンダー錠に於いて、
前記鍵本体は、摘み部分と、該摘み部分から棒状に突出する軸部分と、該軸部分に回転自在に外嵌合する筒状の前記ブレードとから構成され、前記ブレードの外周形状は前記鍵穴の内周面の形状に対応して３回転対称以上の多角形状に形成され、前記鍵本体を前記錠本体の鍵穴に完全に差込んだ時、前記ブレードに設けられた第１係合手段としてのトリガーの突出外端部が、少なくとも前記鍵穴の先端部に押圧され、該トリガーが弾性体の弾性力に抗して位置変位し、その係合内端部が前記棒状の軸部分に形成した第２係合手段としての係合溝に係合し、前記鍵本体と前記ブレードは一体的に係合し、前記鍵本体の回転力が前記ブレードを介して前記内筒に伝わるシリンダー錠。
【請求項１０】
請求項９に於いて、第２係合手段の係合溝は、３個以上の受入溝又は少なくしも摩擦抵抗力を有するセレーションのいずれかであることを特徴とするシリンダー錠。
【請求項１１】
摘み部分と、該摘み部分から棒状に突出する軸部分と、該軸部分に回転自在に外嵌合する筒状のブレードとから成り、前記摘み部分に錠本体の内筒に設けられた一方の係合手段に係脱可能な他方の係合手段が設けられ、鍵本体を前記錠本体の鍵穴に完全に差込んだ時、鍵本体と前記ブレードは、前記一方の係合手段と他方の係合手段が係合することにより一体的に係合し、前記鍵本体の回転力が前記内筒に伝わるシリンダー錠用鍵。
【請求項１２】
請求項１１に於いて、摘み部分の先端部又は筒状のブレードの先端面から突出する軸部分の係合先端部の外周面のいずれかに一方の係合手段或いは一方の係合面が設けられ、これに対して他方の係合手段或いは他方の係合面のいずれかが錠本体の内筒に設けられていることを特徴とするシリンダー錠用鍵。
【請求項１３】
請求項１１に於いて、一方の係合手段はブレードの摘み部分側の一端部に設けられ、その突出端部が曲面状或いはテーパ状のトリガーと、該トリガーを常時突出方向に付勢する弾性体とから成り、鍵本体を前記錠本体の鍵穴に完全に差込んだ時、前記トリガーの突出端部が前記鍵穴の縁部分に押されることによって前記弾性体の弾性力に抗して位置変位し、その係合内端部が棒状の軸部分の外周面に形成した他方の係合手段としての係合溝に係合することを特徴とするシリンダー錠用鍵。
【発明の詳細な説明】
【技術分野】
【０００１】
本発明は、シリンダー錠及びシリンダー錠用鍵に関する。
【背景技術】
【０００２】
特許文献１は出願人が提案したものである。この特許文献１には、合鍵挿入時の利便性を可能な限り追及しながら、（１）鍵本体が、摘み部分と、該摘み部分に回転自在に設けられ、その断面形状が、例えば３回転対称以上の多角形に形成されていると共に、外周面にキーコードを有するブレードとから成り、前記鍵本体を前記錠本体の鍵穴に完全に差込んだ時、前記内筒と鍵本体のそれぞれに設けた係合手段を介して、前記鍵本体の回転力が前記内筒に伝わる実施形態と、（２）鍵本体が、摘み部分と、該摘み部分に回転自在に設けられ、その断面形状が３回転対称以上の多角形に形成されていると共に、外周面にキーコードを有するブレードと、前記摘み部分に設けられ、挿入時に内筒の前面に当接する可動トリガーとから成り、前記鍵本体を前記錠本体の鍵穴に完全に差込んだ時、前記トリガーの後退動を介して、かつ前記内筒と鍵本体のそれぞれに設けた係合手段を介して、前記鍵本体の回転力が前記内筒に伝わる実施形態が記載されている。
【先行技術文献】
【特許文献】
【０００３】
【特許文献１】特開２０１４−２０８９５８号公報
【発明の概要】
【発明が解決しようとする課題】
【０００４】
本願発明は、特許文献１の上記（１）の実施形態の延長線上で創作されたもので、本願発明の主たる目的は、簡単な構成とハンドルの棒状軸部分を利用するというような合理的構成によって、ハンドルの摘み部分を摘まんで、該ハンドルの棒状軸部分の先端部を鍵穴に大雑把な角度で挿入しても、シリンダー錠用鍵（鍵本体）をシリンダー錠（錠本体）に容易に差し込むことができることである。換言すると、鍵本体の摘み部分とブレードとが相対回転可能に設けられている実施形態の場合であっても、合鍵挿入時の利便性（ブレードの断面形状は、少なくとも３回転対称以上）を可能な限り追及しながら、内筒を施・解錠方向へ回転させることができることである。
【課題を解決するための手段】
【０００５】
本発明のシリンダー錠は、錠本体と鍵本体との係合から成り、鍵本体のブレードを錠本体の内筒の鍵穴に差し込んだ時、前記ブレードに形成されたキーコードと前記内筒の回転軸と直交す軸直角断面上に位置するダンブラーが一致するシリンダー錠に於いて、前記鍵本体は、摘み部分と、該摘み部分から棒状に突出する軸部分と、該軸部分に回転自在に外嵌合する筒状の前記ブレードとから構成され、前記ブレードの外周形状は前記鍵穴の内周面の形状に対応して円形状又は３回転対称以上の多角形状のいずれかに形成され、前記鍵本体を前記錠本体の鍵穴に完全に差込んだ時、前記内筒と鍵本体のそれぞれに設けた係合手段を介して、前記鍵本体の回転力が前記内筒に伝わることを特徴とする。
【０００６】
上記構成に於いて、係合手段は、ブレードの先端面から突出する軸部分の係合先端部に設けられた第１係合手段としての係合凹所又は付勢手段に付勢された係止ピンのいずれかであり、一方、前記第１係合手段に係脱する第２係合手段は、内筒の後端部の付勢手段に付勢された係止ピン又は内筒の後端部の内面に形成された係合凹所のいずれかであることを特徴とする。また係合手段は、鍵本体Ｙの摘み部分の先端部に設けられた第１係合手段としての係合凹所又は付勢手段に付勢された係止ピンのいずれかであり、一方、前記第１係合手段に係脱する第２係合手段は内筒の先端部の付勢手段に付勢された係止ピン又は内筒の先端部の内面に形成された係合凹所のいずれかであることを特徴とする。
【０００７】
また本発明のシリンダー錠は、錠本体と鍵本体との係合から成り、鍵本体のブレードを錠本体の内筒の鍵穴に差し込んだ時、前記ブレードに形成されたキーコードと前記内筒の回転軸と直交す軸直角断面上に位置するダンブラーが一致するシリンダー錠に於いて、
前記鍵本体は、摘み部分と、該摘み部分から棒状に突出する軸部分と、該軸部分に回転自在に外嵌合する筒状の前記ブレードとから構成され、前記ブレードの外周形状は前記鍵穴の内周面の形状に対応して３回転対称以上の多角形状に形成され、前記鍵本体を前記錠本体の鍵穴に完全に差込んだ時、前記ブレードに設けられた第１係合手段としてのトリガーの突出外端部が、少なくとも前記鍵穴の先端部に押圧され、該トリガーが弾性体の弾性力に抗して位置変位し、その係合内端部が前記棒状の軸部分に形成した第２係合手段としての係合溝に係合し、前記鍵本体と前記ブレードは一体的に係合し、前記鍵本体の回転力が前記内筒に伝わることを特徴とする。
【０００８】
上記に於いて、第２係合手段の係合溝は、３個以上の受入溝又は少なくしも摩擦抵抗力を有するセレーションのいずれかであることを特徴とする。
【０００９】
さらに、本発明の特定要件である係合手段は、ブレードの先端面から突出する軸部分の係合先端部に設けられた第１磁性体と、この第１磁性体の極性に対応して吸着する内筒の第２磁性体であることを特徴とする。また係合手段は、内筒の前部及び摘み部分の先端部に、それぞれ周方向に設けられたセレーション又は滑り止め防止部材であることを特徴とする。また係合手段は、摘み部分の先端部又はブレードの先端面から突出する軸部分の係合先端部の外周面のいずれかに形成された第１係合面であり、一方、前記第１係合面に対応する第２係合面は内筒の先端部又は後端部の内周面のいずれかに形成されていることを特徴とする。また鍵穴の先端挿入口の縁部分には、ブレードを内筒の回転軸と一致するように鍵穴の中心へと誘導する外拡案内面が形成されていることを特徴とする。
【００１０】
次に本発明のリンダー錠用鍵は、摘み部分と、該摘み部分から棒状に突出する軸部分と、該軸部分に回転自在に外嵌合する筒状のブレードとから成り、前記摘み部分に鍵本体の内筒に設けられた一方の係合手段に係脱可能な他方の係合手段が設けられ、鍵本体を前記錠本体の鍵穴に完全に差込んだ時、鍵本体と前記ブレードは、前記一方の係合手段と他方の係合手段が係合することにより一体的に係合し、前記鍵本体の回転力が前記ブレードを介して前記内筒に伝わることを特徴とする。
【００１１】
上記構成に於いて、摘み部分の先端部又は筒状のブレードの先端面から突出する軸部分の係合先端部の外周面のいずれかに一方の係合手段或いは一方の係合面が設けられ、これに対して他方の係合手段或いは他方の係合面のいずれかが錠本体の内筒に設けられていることを特徴とする。
【００１２】
また、一方の係合手段はブレードの摘み部分側の一端部に設けられ、その突出端部が曲面状或いはテーパ状のトリガーと、該トリガーを常時突出方向に付勢する弾性体とから成り、鍵本体を前記錠本体の鍵穴に完全に差込んだ時、前記トリガーの突出端部が前記鍵穴の縁部分に押されることによって前記弾性体の弾性力に抗して位置変位し、その係合内端部が棒状の軸部分の外周面に形成した他方の係合手段としての係合溝に係合することを特徴とする。
なお、「筒状のブレード」は、実施形態如何によっては、先端部に壁面がであっても良い（いわゆる有底筒状）。
【発明の効果】
【００１３】
（ａ）独立請求項に記載の発明は、特許文献１の上記（１）の実施形態の延長線上に於いて、簡単な構成と鍵本体（ハンドル）の棒状軸部分を利用するというような合理的構成によって、鍵本体の摘み部分を摘まんで、該鍵本体の棒状軸部分の先端部を鍵穴に大雑把な角度で挿入しても、鍵本体を錠本体に容易に差し込むことができ、さらに、鍵本体を錠本体に完全に挿入すると、結合手段によって鍵本体が錠本体の内筒に一体的に係合するので、内筒を施・解錠方向へ回転させることができる。
（ｂ）請求項２乃至請求項７に記載の発明は、鍵本体を錠本体に完全に挿入すると、結合手段によって鍵本体が錠本体の内筒に一体的に係合する。
（ｃ）請求項８に記載の発明は、前記（ａ）の操作性を向上させることができる。
（ｄ）請求項１１に記載の発明は、鍵を錠前の内筒の鍵穴に完全に差込んだ時、内筒とブレードのそれぞれの係合手段が互いに係合することにより、両者は一体的に結合し、鍵の回転力を内筒に伝えることができる。
（ｅ）請求項１２に記載の発明は、鍵穴の内周面が回転自在な筒状のブレードを受け入れる円形状又は多角形状のいずれかに形成されている錠前に利用することができる。また前記（ｃ）の効果を得ることができる。
（ｆ）請求項１３に記載の発明は、前記（ｃ）の効果を得ることができる。
【図面の簡単な説明】
【００１４】
図１乃至図１４は本発明の第１実施形態を示す各説明図、図１５乃至図１７は本発明の第２実施形態を示す各説明図、図１８乃至図２０は本発明の第３実施形態を示す各説明図、図２１乃至図２３は本発明の第４実施形態を示す各説明図、図２４乃至図２７は本発明の第５実施形態を示す各説明図、図２８乃至図３０は本発明の第６実施形態を示す各説明図、図３１は本発明の結合手段の変形例を示す第７実施形態を示す説明図、図３２は本発明の結合手段の変形例を示す第８実施形態を示す説明図、図３３は本発明の結合手段の変形例を示す第９実施形態を示す説明図。図３４乃至図３７は本発明の第１０実施形態を示す各説明図。
【図１】（ａ）は鍵本体の正面視からの説明図。（ｂ）は錠本体の正面視からの一部概略断面説明図。
【図２】錠本体に鍵本体を差し込んだ時の概略断面説明図。
【図３】（ａ）は内筒と合鍵として鍵本体との結合状態の概略断面説明図。（ｂ）は（ａ）の状態のまま時計方向へ９０度回した概略断面説明図。
【図４】鍵本体の斜視図（内筒側の係合手段も示す）。
【図５】鍵本体の棒状軸部分と内筒が係合手段で一体的に係合した状態に概略説明図。
【図６】図５の６−６線断面図。
【図７】錠本体Ｘの先端部を示す説明図。
【図８】錠本体Ｘの正面視からの説明図。
【図９】（ａ）は鍵穴の先端挿入口の幅とブレードの外径の寸法差を示す正面視からの概略説明図。（ｂ）は鍵穴の先端挿入口の幅と鍵穴本体の受入口の大きさを示す概略説明図。
【図１０】ブレードを鍵穴に挿入乃至挿入した場合に説明図（断面は棒状軸部分とブレード）。
【図１１】鍵穴を示す概略断面説明図。
【図１２】内筒側の係合ピンと４回転対称のブレードとの整合性を示す説明図。
【図１３】錠本体の軸方向の概略断面説明図。
【図１４】（ａ）と（ｂ）は内筒の回転軸に対して直交する軸直角方向の概略断面説明図であるが、それぞれ断面位置が相違する。
【図１５】第２実施形態の鍵本体の斜視図（内筒側の係合手段も示す）。
【図１６】鍵本体の先端部と内筒の先端部が係合手段で一体的に係合した状態に概略説明図。
【図１７】図１６の１７−１７線断面図。
【図１８】第３実施形態の鍵本体の斜視図。
【図１９】鍵本体の棒状軸部分の係合先端部と内筒の後端部が係合手段で一体的に係合した状態に概略説明図。
【図２０】図１９の２０−２０線断面図。
【図２１】第４実施形態の鍵本体の斜視図。
【図２２】鍵本体の先端部と内筒の先端部が係合手段で一体的に係合した状態に概略説明図。
【図２３】図２２の２３−２３線断面図。
【図２４】第５実施形態の鍵本体の斜視図。
【図２５】要部（受入溝）の説明図。
【図２６】内筒の鍵穴に鍵本体を挿入している途中の概略説明図。
【図２７】内筒の鍵穴に鍵本体を完全に挿入した概略説明図。
【図２８】第６実施形態の鍵本体の斜視図。
【図２９】要部（トリガーと受入溝の変形例）の説明図。
【図３０】内筒の鍵穴に鍵本体を完全に挿入した概略説明図。
【図３１】第７実施形態の要部（第１係合部分と第２係合部分）の斜視からの説明図。
【図３２】第８実施形態の要部（第１磁性体と第２磁性体）の斜視からの説明図。
【図３３】第９実施形態の要部（滑り止め防止部材）の斜視からの説明図。
【図３４】第１０実施形態の錠本体と鍵本体を示す斜視図。
【図３５】主要部の概略説明図。
【図３６】錠本体に鍵本体を差し込んだ時の概略断面説明図。
【図３７】（ａ）は内筒と合鍵との結合状態の概略断面説明図。（ｂ）は（ａ）の状態のまま時計方向へ９０度回した概略断面説明図。
【発明を実施するための最良の形態】
【００１５】
図１乃至図１４は、本発明の第１実施形態の各説明図である。図１の（ａ）はシリンダー錠を構成する合鍵（以下、ここでは「鍵本体Ｙ」とう。）である。一方、図１の（ｂ）はシリンダー錠を構成する錠前Ｘ（以下、「錠本体Ｘ」という。）である。本発明のシリンダー錠は、前記錠本体Ｘと前記鍵本体Ｙとの係合（組み合わせ）から成り、鍵本体Ｙの筒状のブレード７を錠本体Ｘの内筒１２の鍵穴１３に差し込んだ時、前記ブレードに形成されたキーコードと前記内筒の回転軸と直交す軸直角断面上に位置するダンブラーが一致する（図２参照）。図１の（ｂ）の錠本体Ｘは、普通一般の錠前と同様に、外筒１１、内筒１２、鍵穴１３、可動障害子２０等から構成されている。
【００１６】
まず、図１の（ａ）と図４を参照にして、鍵本体Ｙの構成を簡単に説明する。これらの図に於いて、１は肉厚板状の摘み部分、２は板状、首部を有する外周面円形状等の摘み部分のストッパー部に相当する先端部、３は前記先端部２の先端面の略中央部から水平方向に比較的長い棒状に突出する軸部分、４は前記軸部分３に先端部が連設すると共に該軸部分３よりも大径の係合先端部、５は前記係合先端部に連設する弾丸状、指先状、円錐状、すい台形状等の被誘導先端部、６ａは前記係合先端部の円周面の適宜部位に形成された係合凹所、７は前記棒状軸部分３に回転自在に設けられていると共に、その断面形状が３回転対称以上の多角形状に形成された比較的長い筒状のブレード、８は前記筒状のブレードの外周面に形成されたキーコードである。
【００１７】
すなわち、本実施形態の鍵本体Ｙは、摘み部分１と、該摘み部分１から棒状に突出する軸部分３と、該軸部分に回転自在に外嵌合する筒状のブレード７とから構成され、前記筒状のブレードの外周形状は、錠本体Ｘの外筒１１に回転可能に設けられた内筒１２の鍵穴１３の内周面の形状に対応して、少なくとも３回転対称以上の多角形状に形成され、鍵本体Ｙを錠本体Ｘの前記鍵穴１３に完全に差込んだ時、前記内筒１２と鍵本体Ｙのそれぞれに設けた係合手段６を介して、鍵本体Ｙの回転力が前記内筒に伝わる。
例えば図２と図４で示すように、前記係合手段６は、筒状のブレード７の先端部７ａから突出する軸部分３の係合先端部４に設けられた第１係合手段としての係合凹所６ａ、又は内筒１２の付勢手段６ｃに付勢された係止ピン６ｂのいずれかであり、一方、前記第１係合手段６ａに対応する内筒１２の第２係合手段は、前記付勢手段６ｃに付勢された係止ピン６ｂ又は係合凹所６ａのいずれかである。実施形態では、第１係合手段としての係合凹所６ａは鍵本体Ｙに設けられ、一方、第２係合手段としての係止ピン６ｂ及び付勢手段６ｃは錠本体Ｘに設けられている（図５参照）。
【００１８】
ところで、前記係止ピン６ｂの構成は、係止ピン６ｂの内端部及び付勢手段６ｃを収納する収納穴９から鍵穴１３と連通する該鍵穴よりも小径の係合先端部用嵌合穴１０に落下しないように不番の鍔部分を有すると共に、その外周面の形状は、軸部分３の軸方向への移動が可能である一方、軸部分３が回転する方向（施・解錠方向）では、鍵本体Ｙの回転力が錠本体Ｘの内筒に伝わるように係止（連結）する機能を発揮する。したがつて、係止ピン６ｂは、例えば左右の側面にそれぞれ垂直の係止面を有する略Ｕ字形状に形成されている。
【００１９】
また、筒状のブレード７の多角形の外周面には、例えば４回転対称となる位置に窪み８が多数形成されている。前記窪み８はキーコードの一例であり、説明の便宜上簡略的に説明している。このキーコード８は、３回転対称以上であれば各側面に形成された大小の刻みや窪みであっても良いことから、実施形態のキーコード８は、開口が大きくて凹所が深い窪み８ａと、開口が小さくて凹所が浅い窪み８ｂとから成る。また実施形態の鍵本体Ｙのブレード７は、その垂直断面の形状が八角形であり（図６参照）、垂直断面の横幅Ｋ１と縦幅Ｋ２が略同一である（図９参照）。このように本発明の鍵Ｙのブレード７の外周形状は３回転対称以上の、六角形、八角形等の多角形状に形成されている。
【００２０】
次に、図１の（ｂ）、図２等を参照にして本実施形態の錠本体Ｘを説明する。実施形態の錠本体Ｘも、鍵本体Ｙの筒状のブレード７を内筒１２の鍵穴１３に完全に差し込んだ時、筒状のブレード７に形成されたキーコード８としての窪みや刻みと内筒１２の回転軸（例えばテールピース）Ｏと直交する軸直角断面上に位置するダンブラー２０とが一致するシリンダー錠である点で、従来の錠前と基本的な構造は変わらない。
【００２１】
しかしながら、本発明の第１実施形態は、鍵穴１３に対する筒状のブレード７の挿入角度が多少大雑把であっても、筒状のブレード７の先端部７ａが鍵穴１３の先端部の内周壁に形成された外拡案内面１３Ａに誘導された後、鍵本体Ｙを鍵穴１３の奥まで完全に差し込むことができる。したがって、前記案内面１３Ａは、鍵穴１３の先端挿入口の縁部分ａから鍵穴本体１３Ａの受入口の縁部分ｂに至るにしたがって、次第に左右・上下の幅が狭くなっている。しかして、例えば図８乃至図１０で示すように、鍵穴１３は、先端部の内周壁に外拡案内面１３ａを有する誘導穴１３Ａと、この誘導穴１３Ａの後端に直ぐに或いは多少離間して連通する鍵穴本体１３Ａとから成り、鍵穴１３の先端挿入口の縁部分ａの少なくとも左右・上下の内径（幅）Ｗ１、Ｗ２は、鍵本体Ｙの筒状のブレード７の先端部７ａの左右・上下の外径（幅）Ｋ１、Ｋ２よりも大きい。また、前記先端挿入口の縁部分ａよりも奥に相当する先端部又は中央部のいずれかに筒状のブレード７のキーコード８とダンブラー２０とが一致する位置へと受け入れる前記鍵穴本体１３Ａが設けられている。
【００２２】
ここで、図８と図９を参照にして説明する。まず、図８は、鍵穴１３の先端部（挿入口の縁部分）ａと合鍵Ｙの筒状のブレード７の外径の寸法差を示す正面視からの概略説明図である。内筒１２には、その回転軸に沿って、誘導穴１３Ａと該誘導穴１３Ａの連通する鍵穴本体１３Ａとから成る鍵穴１３が形成され、本実施形態では、例えば図９で示すように筒状のブレード７が多少左右方向に回転角度が傾いても（断面で示した部分の上方の長壁面が多少傾斜することを意味する。）、筒状レード７の先端部７ａ或いは軸部分３の先端部に設けた被誘導部分５の弾劾状外周面は、鍵穴１３の先端挿入口の縁部分ａとの間に十分な寸法差（間隙）が設定されていることから、自由に筒状のブレード７の先端部７ａを誘導穴１３Ａの先端挿入口の縁部分ａに嵌め合せることができる。
【００２３】
次に図９及び図１０は、鍵穴１３の、先端（挿入口）の縁部分ａと先端部寄りの部位或いは実施形態によっては中央部寄りの部位の受入口の縁部分ｂと後端部（奥部）ｃの左右上下の各内径（幅）Ｗ１、Ｗ２と鍵本体Ｙの筒状のブレード７の左右上下の幅（大きさ）Ｋ１、Ｋ２の寸法差を示したものである。実施形態では、鍵穴１３の挿入口ａの形状は略真円円形（Ｗ１とＷ２は同一）であるが、鍵本体Ｙの筒状のブレード７の外周形状は、垂直断面の横幅Ｋ１と縦幅Ｋ２が同一の非正八角形である（図９参照）。
【００２４】
図１０を参照にすると、錠本体Ｘの内筒１２の鍵穴１３の先端挿入口の縁部分ａの左右・上下の内径（幅）Ｗ１、Ｗ２は、鍵本体Ｙの筒状のブレード７の面取りされた先端部７ａが余裕をもって遊嵌合する大きさであり、一方、前記鍵穴１３の少なくとも鍵穴本体１３Ａの受入口の縁部分ｂの内径（幅）は、前記先端挿入口の縁部分ａの内径（幅）Ｗ１、Ｗ２よりも小さいので、鍵穴１３に対する挿入角度が多少大雑把であっても、つまり、合鍵Ｙの摘み部分１をもって筒状のブレード７の差し込み角度がいい加減であっても、筒状のブレード７の先端部７ａを先端（挿入口）の縁部分ａ内に余裕をもって嵌め合せることができる。
【００２５】
そこで、筒状のブレード７の先端部７ａを鍵穴１３に差込む場合には、摘み部分を持って筒状のブレード７の先端部７ａを鍵穴１３の先端挿入口に合わせるようにする。そして、筒状のブレード７の先端部７ａを鍵穴１３の先端挿入口に嵌め合せたならば、鍵穴１３の先端部の外拡案内面１３ａは、鍵穴本体１３Ａの受入口の縁部分ｂに向かって徐々に絞りこまれているので、今仮に摘み部分１を適当にもって押し込むと、筒状のブレード７の先端部７ａは前記外拡案内面１３ａに摺接状態で制御（補正）されるので、傾倒状態にある筒状のブレード７は水平状態となり、スムースに鍵穴本体１３Ａの受入口の縁部分ｂに至る。そこで、さらに摘み部分１を押し込むと、筒状のブレード７のキーコード８と内筒１２の回転軸と直交する軸直角断面上に位置するダンブラー２０とが一致する。この時、筒状のブレード７乃至摘み部分１の中心が内筒１２の回転軸Ｏと一致すると共に、本発明の係合手段６が互いに係合し、内筒１２と鍵本体Ｙが共働可能となる。摘み部分１を回すと内筒１２が回り、内筒１２が回ると係合ピン（可動障害子）１７と共に多角形の筒状のブレード７も一緒に回転する。
【００２６】
すなわち、図２で示すように、第１係合部分６ａに対して第２係合部分６ｂが係合するので、鍵本体Ｙの操作力が係合手段６を介して内筒１２に伝達することが可能となり、また実施形態では、内筒１２の鍵穴１３と筒状のブレード７は互いに対応する４回転対称の係合関係にある多角形なので、摘み部分１でもって内筒１２を回すと、例えば図３の（ａ）の挿入時の状態から図３の（ｂ）の解錠位置へと時計方向へ９０度回すことができる。
【００２７】
以上のように、実施形態の鍵本体Ｙの筒状のブレード７は摘み部分１に対して回転可能に設けられているものの、鍵穴１３に挿入すると内筒１２と一緒に回転する。また鍵本体Ｙの回転力が係合手段６を介して錠本体Ｘの内筒に伝わる。
【００２８】
ところで、周知事項であるが、念のために、例えば図２を参照にして、付勢バネ１９、ダンブラー２０等の構成を説明する。ダンブラー２０は、係合ピン１７とドライバー１８とから成る。前記係合ピン１７は、貫通孔１６内で摺動可能な係合先端部分を有する軸部１７ａと、該軸部１７ａの外方に連設し、かつドライバー１８に接触可能な係合鍔１７ｂとからなる。係合ピン１７は、付勢バネ１９の弾発力によって、通常はドライバー１８と共に内方（鍵穴方向）へ付勢されるが、ピン孔１５と貫通孔１６との段差部に係合鍔１７ｂが当接することにより、内方への移動が規制されている。したがって、ダンブラー２０は、内側の係合ピン１７と、外側のドライバー１８とで構成され、付勢バネ１９のバネ力により、前記係合ピン１７の半円弧状係合先端部分が常に所定量鍵穴１３に突出している。  
【００２９】
実施形態では、ダンブラー２０のピン孔１４、１５は、上方と下方にそれぞれ軸方向に一直線に複数並んで列を成しているが、上下の各ダンブラー２０は、回転対称を考えて、例えば錠本体（内筒１２と外筒１１）Ｘを半径方向に裁断した軸直角断面上にそれぞれ位置している。そして、上下の各ダンブラー２０の円弧状係合先端部分は、鍵本体Ｙを鍵穴１３に挿入した際には、窪み８の略中心を通る。つまり、内筒１２の回転軸と直交するダンブラー２０用のピン孔１４、１５の半径方向の軸線と合鍵としての鍵本体Ｙの窪み８の中心を通る軸線は完全に一致する。
【００３０】
なお、図１２は内筒側の係合ピン１７と４回転対称の筒状のブレード７のキーコード８の一例としての窪みとの整合性を示す説明図である。また図１３は錠本体Ｘの軸方向の概略断面説明図であるが、便宜上、ダンブラー２０を全て実線で示している。さらに、図１４の（ａ）と（ｂ）は内筒１２の回転軸に対して直交する軸直角方向の概略断面説明図であるが、それぞれ断面位置が相違する。
【実施例】
【００３１】
以下、この実施例の欄では、本発明の第２実施形態、第３実施形態等を説明する。なお、説明の便宜上、第１実施形態と同一の部分には、同一或いは同様の符号を付して重複する説明を割愛する。
【００３２】
まず、図１５乃至図１７は本発明の第２実施形態を示す各説明図である。この第２実施形態が前記第１実施形態と主に異なる点は、係合手段６Ａを構成する第１係合手段６ａが鍵本体Ｙの摘み部分１の先端部２に設けていると共に、前記第１係合手段６ａと係脱する第２係合手段６ｂ、６ｃが内筒１２の先端部に設けられていることである。この第２実施形態では、摘み部分１の先端部２と筒状のブレード７の半径は同一であり、かつ、先端部２の外周面も筒状のブレード７のそれと同じである。したがって、図１７で示すように鍵本体Ｙを内筒１２の鍵穴１３に完全に差込むと、摘み部分１の先端部２はストッパーの機能を発揮せず、筒状のブレード７と同様に鍵穴１３に嵌入する。このように構成しても、第１実施形態と同様の作用・効果がある。なお、特に図示しないが、この第２実施形態に於いても、第１実施形態と同様に第１係合手段６ａを内筒１２の先端部に設け、一方、第２係合手段６ｂ、６ｃを鍵本体Ｙの摘み部分１の先端部２に設けても良い。
【００３３】
また、本明細書では念のために付言するが、筒状のブレード７は、いわゆる有底筒状であっても良い。つまり、実施形態如何によっては、各実施形態の発明の課題や効果を妨げない限り、筒状のブレードは、完全なパイプ状であったり、先端部に前壁を有する筒状有底筒状であっても良い。
【００３４】
次に、図１８乃至図２０は本発明の第３実施形態を示す各説明図であり、一方、図２１乃至図２３は本発明の第４実施形態を示す各説明図である。これらの実施形態は、鍵本体Ｙの係合面と錠本体Ｘの係合面とを係合させて、鍵本体Ｙの回転力を錠本体Ｘの内筒１２に伝える点で、技術的思想は同一である。
【００３５】
すなわち、これらの実施形態では、摘み部分１の先端部２又はブレード７の先端面７ａから突出する軸部分３の係合先端部４の外周面のいずれかに形成された第１係合面６ａ（前述したように便宜上、第１実施形態の係合凹所６ａと同一の符号を用いる）であり、一方、前記第１係合面６ａに対応する第２係合面６ｂ（便宜上、第１実施形態の係止ピン６ｂと同一の符号を用いる）は内筒１２の先端部又は後端部の内周面のいずれかに形成されている。
【００３６】
しかして、第３実施形態の係合手段６Ｂは、ブレード７の先端面７ａから突出する軸部分３の係合先端部４に先端面が面取りされた多角形の第１係合面６ａが形成され、一方、前記第１係合面６ａに対応する多角形の第２係合面６ｂは内筒の後端部の内周面に形成されている。
【００３７】
一方、第４実施形態の係合手段６Ｃは、摘み部分１の先端部２に多角形の第１係合面６ａが形成され、一方、前記第１係合面６ａに対応する多角形の第２係合面６ｂは内筒１２の先端部の内周面に形成されている。なお、この第４実施形態の摘み部分１の先端部２も、前述した第２実施形態と同様にストッパーの機能を発揮せず、筒状のブレード７と同様に鍵穴１３に嵌入するので、摘み部分１の先端部２と筒状のブレード７の半径は同一であり、かつ、先端部２の外周面も筒状のブレード７のそれと同じである。
【００３８】
次に、図２４乃至図２７は本発明の第５実施形態を示す各説明図であり、一方、図２８乃至図３０は本発明の第６実施形態を示す各説明図である。これらの実施形態は、筒状のブレード７の適宜箇所に係合手段６Ｄ、６Ｅの一方を構成する第１係合手段用の貫通収納部３０を形成し、一方、前記係合手段６Ｄ、６Ｅの他方を構成する第２係合手段を鍵本体Ｙに設け、鍵本体Ｙを錠本体Ｘの内筒１２の鍵穴１３に挿入すると、前記第１係合手段を構成するトリガーが弾性体の弾性力に抗して筒状のブレード７の内部方向へ位置変位して鍵本体Ｙが錠本体Ｘの内筒１２に一体となり、その結果、鍵本体Ｙの回転力を錠本体Ｘの内筒１２に伝える点で、技術的思想は同一である。したがって、第６実施形態の構成・作用の説明については、第５実施形態と同一の符号を付して重複する説明を割愛する。
【００３９】
第５実施形態は、筒状のブレード７の外周面が３回転対称以上の多角形状であること及び内筒の内周面が前記筒状のブレード７の外周面に係合することを前提する。そして、第１実施形態と主に異なる点は、（ａ）係合手段６Ｄの一方を構成する第１係合手段が、トリガー３１と、該トリガー３１を付勢する付勢手段３２であること、（ｂ）トリガー３１と付勢手段３２は筒状のブレード７の適宜部位に形成した貫通収納部３０に組み込まれていること、（ｃ）トリガー３１の突出外端部が内筒１２の鍵穴１３の縁部分に押圧されると、該トリガー３１が弾性体３２の弾性力に抗して筒状のブレード７の内部方向へと位置変位すること、（ｅ）位置変位したトリガー３１の係合内端部が棒状の軸部分３の外周面に形成した第２係合手段としての係合溝３３に係合することである。
【００４０】
トリガー３１の形態や設置個所は、適宜に変更し得る事項ではあるが、実施形態では、その突出端部３１ａは曲面状或いはテーパ状に形成され、中央部に周設された鍔部分３１ｂを基準とする反対側の端部は棒状の軸部分３の係合溝３３に係脱する係合端部３１ｃである。そして、弾性体３２は前記係合端部３１ｃに巻装された状態で貫通収納部３０の底面側に内装され、前記突出端部３１ａがトリガー３１の外周面から所定量突出するように付勢している。また第２係合手段の係合溝３３は、第１係合手段のトリガー３１の位置に対応する部位に周方向に少なくとも３個以上形成されている。なお、係合溝３３の数は、好ましくは多数形成する。
【００４１】
したがって、第５実施形態は、錠本体Ｘと鍵本体Ｙとの係合から成り、鍵本体Ｙの筒状のブレード７を錠本体Ｘの内筒１２の鍵穴１３に差し込んだ時、前記筒状のブレード７に形成されたキーコード８と前記内筒１２の回転軸と直交す軸直角断面上に位置するダンブラー２０が一致するシリンダー錠に於いて、前記鍵本体Ｙは、摘み部分１と、該摘み部分から棒状に突出する軸部分３と、該軸部分に回転自在に外嵌合する筒状の前記ブレード７とから構成され、前記ブレード７の外周形状は前記鍵穴１３の内周面の形状に対応して３回転対称以上の多角形状に形成され、前記鍵本体Ｙを前記錠本体Ｘの鍵穴１３に完全に差込んだ時、前記ブレード７に設けられた第１係合手段としてのトリガー３１の突出外端部３１ａが少なくとも前記鍵穴１３の先端部に押圧され、該トリガー３１が弾性体３２の弾性力に抗して位置変位し、その係合内端部３１ｃが前記棒状の軸部分３の外周面に形成した第２係合手段としての係合溝３３に係合し、前記鍵本体Ｙと前記ブレード７は一体的に係合し、前記鍵本体Ｙの回転力が前記ブレード７を介して前記内筒１２に伝わる。
【００４２】
そして、第６実施形態の第２係合手段３３Ａは、３個以上の受入溝ではなく、少なくしも摩擦抵抗力を有するセレーションでも良いことを示すものである。第２係合手段３３Ａとしてのセレーションは、例えば鍵本体Ｙの先端部或いは軸部分３の摘み部分１側の適宜部位に周方向に全体的に形成されている。
【００４３】
次に、図３１は本発明の結合手段の変形例を示す第７実施形態を示す説明図、図３２は本発明の結合手段の変形例を示す第８実施形態を示す説明図、図３３は本発明の結合手段の変形例を示す第９実施形態を示す説明図である。これらの実施形態は、念のために、摘み部分１の操作力を内筒１２に伝える設計変更例を示すものである。そこで、各実施形態の結合手段６Ｆ、６Ｇ、６Ｈを簡単に説明する。なお、各実施形態の結合手段の説明に当たって、便宜上、第１実施形態の係合凹所６ａと係止ピン６ｂと同一の符号を用いる。
第７実施形態の図３１の係合手段６Ｆはセレーション（多数の溝）である。すなわち、内筒１２の先端部の前面部分には、その周方向にセレーションとしての第１係合部分６ａが形成され、一方、摘み部分１の先端部２には、その周方向にセレーションとしての第２係合部分６ｂが形成されている。
【００４４】
また第８実施形態の図３２の係合手段６Ｇは磁性体である。すなわち、内筒１２の前面部分には、その周方向に所定間隔を有して第１磁性体６ａが固設され、一方、摘み部分１の先端部には、その周方向に第１磁性体の極性に対応して吸着する複数個の第２磁性体６ｂが固設されている。なお、この第８実施形態では両方に磁性体を配設しているが、係合手段６Ｇは、内筒１２の前面部分又は摘み部分１の先端部２のいずれか一方が金属であり、他方が前記金属に吸着する磁性体であっても良い。
【００４５】
さらに、第９実施形態の図３３の係合手段６Ｈは滑り止め防止部材６ａ、６ｂである。滑り止め防止部材６ａ、６ｂは、摩擦によって両者が共働して回転することから、その材質（粗面）は適宜に選定されている。
【００４６】
最後に、図３４乃至図３７は本発明の第１０実施形態を示す各説明図である。この第１０実施形態は、本発明の要部が「外周面にキーコード８を有する筒状のブレード７が、摘み部分１の棒状軸部分３に回転自在に外嵌合している点」を強調するために、便宜上本明細書に記載するものであり、鍵本体Ｙの挿入角度が該鍵穴１３に制御（補正）される他の実施形態と異なるものである。
【００４７】
この第１０実施形態に於いて、第１実施形態と主に異なる事項は、（ａ）鍵本体Ｙ１の筒状のブレード７Ａの垂直断面の外周形状が真円或いは略真円である点、（ｂ）筒状のブレード７Ａに形成されたキーコード８Ａが筒状のブレードの長手方向に所定間隔を有して形成された複数の環状溝である点、（ｃ）錠本体Ｘ１の内筒１２の鍵穴本体１３Ａの内周面が筒状のブレード７Ａの外周形状に対応して真円或いは略真円状に形成されている点、（ｄ）したがって、先端部寄りの部位の受入口の縁部分ｂも真円或いは略真円状である点である。
【００４８】
なお、第１０実施形態の鍵本体Ｙ１の環状溝８Ａは、大径部分と小径部分が基端部から先端へと連続模様を形成するように繰替えされているが、環状溝８Ａの幅、形状、深さ等は任意に設計変更することができる事項である。また係合手段は、第７実施形態、第８実施形態、第９実施形態の構成でも良いが、この第１０実施形態では、内筒１２の先端面に設けた複数の係合凹所６ａと、これらに係合可能な摘み部分１の先端面に設けた係合突起６ｂとで構成する係合手段６Ｉを採用している。なお、第１０実施形態の主要部及び要部は、第１実施形態と同様なので、ここでは極力同様の図面を描いて具体的な説明は割愛する。
【００４９】
ところで、本発明のシリンダー錠用鍵は、摘み部分１と、該摘み部分から棒状に突出する軸部分３と、該軸部分に回転自在に外嵌合する筒状のブレード７とから成り、前記摘み部分１に錠前（錠本体）Ｘの内筒１２に設けられた一方の係合手段に係脱可能な他方の係合手段が設けられ、鍵穴１３に完全に差込んだ時、前記筒状のブレード７は、鍵側の係合手段と錠前側の係合手段が互いに係合することにより一体的に係合し、鍵の回転力が前記錠前の内筒１２に伝わる。そして、前記係合手段は、例えば摘み部分１の先端部２又は筒状のブレード７の先端面から突出する軸部分３の係合先端部４の外周面のいずれかにシリンダー錠１の内筒１２に設けられた一方の係合手段或いは一方の係合面に対応する他方の係合手段或いは他方の係合面のいずれかが設けられている。また、実施形態如何によっては、一方の係合手段はブレード７の摘み部分側の一端部に設けられ、その突出端部３１ａが曲面状或いはテーパ状のトリガー３１と、該トリガーを常時突出方向に付勢する弾性体３２とから成り、鍵Ｙを前記錠Ｘの鍵穴１３に完全に差込んだ時、前記トリガー３１の突出端部３１ａが前記鍵穴１３の先端部に押されることによって前記弾性体３２の弾性力に抗して位置変位し、その係合内端部３１ｃが棒状の軸部分３の外周面に形成した他方の係合手段としての係合溝（３３、３３Ａ）に係合する。
【産業上の利用可能性】
【００５０】
本発明は、主に建具用のシリンダー錠及びシリンダー錠用鍵として利用可能である。
【符号の説明】
【００５１】
Ｘ，Ｘ１…錠本体、
Ｙ，Ｙ１…鍵本体、
１…摘み部分、
２…摘み部分の先端部、
３…棒状の軸部分、
４…大径の係合先端部、
５…被誘導先端部、
６乃至６Ｆ…係合手段
６ａ…係合凹所、
６ｂ…係止ピン、
６ｃ…付勢手段、
７，７Ａ…筒状のブレード、
７ａ…筒状のブレードの先端部、
８，８Ａ…キーコード、
９…収納穴、
１０…先端部用嵌合穴、
１１…外筒、
１２…内筒、
１３…鍵穴、
１３Ａ…誘導穴、
１３Ａ…外拡案内面、
ａ…鍵穴１３の先端部（挿入口の縁部分）、
１３Ａ…鍵穴本体、
１４、１５…ピン孔、
１６…貫通孔、
１７…係合ピン、
１８…ドライバー、
１９…付勢バネ、
２０…可動障害子
３１…トリガー、
３２…トリガー用の弾性体、
３３、３３Ａ…係合溝。
【図１】
2016121495.tif 000003
【図２】
2016121495.tif 000004
【図３】
2016121495.tif 000005
【図４】
2016121495.tif 000006
【図５】
2016121495.tif 000007
【図６】
2016121495.tif 000008
【図７】
2016121495.tif 000009
【図８】
2016121495.tif 000010
【図９】
2016121495.tif 000011
【図１０】
2016121495.tif 000012
【図１１】
2016121495.tif 000013
【図１２】
2016121495.tif 000014
【図１３】
2016121495.tif 000015
【図１４】
2016121495.tif 000016
【図１５】
2016121495.tif 000017
【図１６】
2016121495.tif 000018
【図１７】
2016121495.tif 000019
【図１８】
2016121495.tif 000020
【図１９】
2016121495.tif 000021
【図２０】
2016121495.tif 000022
【図２１】
2016121495.tif 000023
【図２２】
2016121495.tif 000024
【図２３】
2016121495.tif 000025
【図２４】
2016121495.tif 000026
【図２５】
2016121495.tif 000027
【図２６】
2016121495.tif 000028
【図２７】
2016121495.tif 000029
【図２８】
2016121495.tif 000030
【図２９】
2016121495.tif 000031
【図３０】
2016121495.tif 000032
【図３１】
2016121495.tif 000033
【図３２】
2016121495.tif 000034
【図３３】
2016121495.tif 000035
【図３４】
2016121495.tif 000036
【図３５】
2016121495.tif 000037
【図３６】
2016121495.tif 000038
【図３７】
2016121495.tif 000039